(57)【特許請求の範囲】
【請求項１】
可撓性を有する光ディスクに対して記録再生を行う光ディスク装置において、光ディスクを回転駆動させる回転駆動手段と、光源からの光を光ディスク上に集光させる集光器及びその支持部材と、支持部材上に配置され集光器と結合して集光器のフォーカシングとトラッキングを行う２軸アクチュエーターと、２軸アクチュエーターと光ディスクとの間に位置するよう支持部材に固定され光ディスクの回転状態を安定化させる回転安定化板とを備えた光ディスク装置。
【請求項２】
光ディスクが、光ディスクカートリッジに収納され、このカートリッジが、その内壁に、光ディスクに対して回転安定化板とは反対側に面し、光ディスクの回転状態を更に安定化させる第１の安定化面を有してなる請求項１に記載の光ディスク装置。
【請求項３】
光ディスクカートリッジが、その内部へ回転駆動手段を導入するための第1の開口部と、同じく少なくとも集光器を導入するための第２の開口部とを有してなる請求項２に記載の光ディスク装置。
【請求項４】
光ディスクカートリッジが、第２の開口部が形成された面と対向する一方の内壁全面に、第１の安定化面を有してなる請求項３に記載の光ディスク装置。
【請求項５】
光ディスクカートリッジが、第２の開口部が形成された面と対向する側の内壁全面に、光ディスクに対する第１の安定化面を構成し、かつ、第２の開口部が形成された側の内壁全面に、光ディスクに対する第２の安定化面を構成してなる請求項３に記載の光ディスク装置。
【請求項６】
光ディスクと第１の安定化面との距離が、１０μｍ以上２００μｍ以下である請求項４に記載の光ディスク装置。
【請求項７】
光ディスクと、第１の安定化面および／または第２の安定化面との距離が、１０μｍ以上２００μｍ以下である請求項５に記載の光ディスク装置。
【請求項８】
回転安定化板が、集光器の支持部材にバネを介して固定されてなる請求項１〜７のいずれか１つに記載の光ディスク装置。
【請求項９】
回転安定化板が、集光器によって集光される光を実質的に透過可能な材料で構成されてなる請求項１〜８のいずれか１つに記載の光ディスク装置。
【請求項１０】
回転安定化板が、集光器によって集光される光を透過しない材料で構成されてなり、かつ該光を通過させる光通過孔を有してなる請求項１〜８のいずれか１つに記載の光ディスク装置。
【発明の詳細な説明】
【０００１】
【発明の属する技術分野】
本発明は、光ディスク装置に関し、更に詳しくは、可撓性を有する光ディスクの高密度な情報の記録再生が可能な光ディスク装置に関するものである。
【０００２】
【従来の技術】
光ディスクの高密度化を実現するためには、光ディスク上に集光される光ビームスポット径を小さくすることが必要となる。そして、そのために、記録再生に使用する光の波長を短くすることと、対物レンズの開口数ＮＡを大きくすることが有効である。しかし、光の波長を短くしたり、対物レンズの開口数ＮＡを大きくすると、光ディスク基板が傾くことにより、大きなコマ収差が発生し、光ビームを精度良く集光することができなくなってしまう。これを補うために、光ディスク基板の薄型化が進められてきた。例えば、ＣＤ−ＲＯＭの場合、対物レンズの開口数ＮＡが０．４５であり、光の波長が７８０ｎｍであり、基板の厚さが１．２ｍｍであるのに対して、対物レンズの開口数ＮＡが０．６であり、光の波長が６５５ｎｍであるＤＶＤ−ＲＯＭにおいては、基板の厚さを０．６ｍｍとして、記録容量の増大と光ディスク基板の傾きに対する許容量の拡大とを図っている。しかしながら、さらに光ディスク基板が薄くなると、剛性の低下により光ディスク基板自体の面振れにともなう基板の傾きが大きくなり逆効果となる。したがって、光の波長を短くすることと、対物レンズの開口数ＮＡを大きくすることには限界がある。
【０００３】
光の波長を短くし、対物レンズの開口数ＮＡを大きくすることを目的として、図９に示すような可撓性を有するディスク基板を用いた光ディスク記録再生装置が、特開平１０−３０８０５９号公報において提案されている。この方法は、可撓性を有する光ディスク１０１に対して記録再生を行う記録再生装置に、光ディスク１０１の回転状態を安定化させる安定化板１０２を設け、光ピックアップ１０３からの光ビームが光ディスク１０１に集光照射される構成であり、光の波長が６５０ｎｍ以下であり、対物レンズ群の開口数ＮＡが０．７以上である記録再生装置での記録再生を実現することが可能である。さらに、上記公報には、図１０に示すように、安定化板１０２をディスクカートリッジ１０６と一体的に構成することが提案されている。この場合、光ピックアップは、図示しないディスクカートリッジの開口部から挿入されることになる。
【０００４】
【発明が解決しようとする課題】
上述の図９に示す特開平１０−３０８０５９号公報に記載の内容によれば、センターハブ１０４に固定された可撓性を有する光ディスク１０１が、スピンドル１０５により回転駆動されることにより、可撓性を有する光ディスク１０１と安定化板１０２により挟まれる空間が減圧状態となり、光ディスク１０１が安定化板１０２に吸い寄せられ、安定化板１０２と一定の間隔を保ちながら安定して回転することが可能となり、光ディスク１０１の回転時の面振れが抑制されることにより、良好な記録再生が行われるものである。
【０００５】
しかしながら、情報の記録再生を行うために、安定化板１０２に対向して配置される集光手段（対物レンズ群）を含む光ピックアップ１０３が、可撓性を有する光ディスク１０１に近接することにより、光ピックアップ１０３と光ディスク１０１との間に圧力変動が発生し、光学ピックアップ１０３周辺において、圧力変動に伴う光ディスク１０１の面振れ（バタツキ）が発生し、良好な記録再生を行うことが困難となる。図１０の場合も、同様に、光ピックアップ１０３が、可撓性を有する光ディスク１０１に近接することにより、良好な記録再生を行うことが困難となる。
【０００６】
【課題を解決するための手段】
上記の課題を解決する本発明の光ディスク装置は以下のようなものである。
すなわち、本発明の光ディスク装置は、可撓性を有する光ディスクに対して記録再生を行う光ディスク装置において、光ディスクを回転駆動させる回転駆動手段と、光源からの光を光ディスク上に集光させる集光器及びその支持部材と、支持部材上に配置され集光器と結合して集光器のフォーカシングとトラッキングを行う２軸アクチュエーターと、２軸アクチュエーターと光ディスクとの間に位置するよう支持部材に固定され光ディスクの回転状態を安定化させる回転安定化板とを備えた光ディスク装置である。
【０００７】
要するに、本発明は、集光手段、つまり集光器及びその支持部材に、可撓性を有する光ディスクの回転状態を安定化させる回転安定化板を設置することによって、集光器及びその支持部材が光ディスクに近接するときに予想される光ディスクの面振れの発生を防止し、良好な記録再生（記録・再生、記録又は再生を意味する）を可能にする。
【０００８】
本発明は、さらに光ディスクカートリッジの内壁に、光ディスクの回転状態をさらに安定化させる回転安定化面を形成すると、可撓性を有する光ディスクが、集光器の支持部材に設置された回転安定化板と光ディスクカートリッジの内壁で構成された回転安定化面との間に挟まれ、光ディスクと回転安定化板との間の空気圧力と、光ディスクと回転安定化面との間の空気圧力とが釣り合う状態で光ディスクを回転でき、それによって光学ピックアップ周辺において発生する圧力変動を抑制することが可能となり、可撓性を有する光ディスクの回転時の面振れが抑制されて良好な記録再生を実現することができる。
【０００９】
更に本発明に係る光ディスク装置において、上記回転安定化板がバネを介して集光器の支持部材に固定されることにより、光学ピックアップ周辺において発生する圧力変動を抑制することが可能となり、可撓性を有する光ディスクの回転時の面振れが抑制されることにより、良好な記録再生を実現することができるとともに、可撓性を有する光ディスクと回転安定化板の接触による光ディスクの損傷を完全に抑制することが可能となる。
【００１０】
更に本発明に係る光ディスク装置において、集光器を２つレンズを組み合わせた２群レンズで構成することができ、２群レンズを用いて開口数ＮＡを大きくすることにより、高密度記録再生に適した光ディスク装置を提供することが可能となる。
【００１１】
本発明において、回転安定化板は、集光器によって集光される光を実質的に透過可能な材料、例えば透明な石英、ガラスで構成でき、さらに集光器によって集光される光を透過しない材料で板全体を構成し、その板に光を通過させる光通過孔を形成できる。かくして、回転安定化板を不透明な材料で形成することが可能となり、材料選択の範囲を広げることが可能となるとともに、回転安定化板にレーザ光の反射面が存在しないようにできるため、レーザ光の利用効率改善を実現することができる。
【００１２】
更に本発明に係る光ディスク装置の可撓性を有する光ディスクを収納する光ディスクカートリッジにおいて、光ディスクカートリッジの片面に、回転駆動手段（具体的には例えば、スピンドル）を導入するための第１の開口部と、少なくとも集光器を導入するための第２の開口部とを形成できる。この場合、第１の開口部および第２の開口部が光ディスクカートリッジの片面のみに形成されており、光ディスクカートリッジのもう一方の面には開口部が存在せず、防塵の目的で光ディスクカートリッジの開口部を開閉可能に取り付けられるスライドシャッターを光ディスクカートリッジの片面のみに形成することが可能となり、光ディスクカートリッジのスライドシャッターを簡略化することができる。
【００１３】
また、上記光ディスクカートリッジにおいて、上記第２の開口部が形成された面と対向する光ディスクカートリッジの内壁を、回転安定化面とすることにより、可撓性を有する光ディスクが回転安定化板（透明安定化板）と光ディスクカートリッジの内壁で構成された回転安定化面との間に挟まれ、可撓性を有する光ディスクの回転時の面振れが抑制され、良好な記録再生を実現することができる。
【００１４】
更に上記光ディスクカートリッジにおいて、上記第２の開口部が形成された面と対向する光ディスクカートリッジケースの一方の内壁全面を、可撓性を有する光ディスクに対する第１の全面安定化面とすると、光ディスクカートリッジの内壁面に構成された第１の全面安定化板により、可撓性を有する光ディスクの回転駆動時の面振れがさらに抑制され、より安定して良好な記録再生を実現することができる。
【００１５】
更に、上記光ディスクカートリッジにおいて、上記第２の開口部が形成された面と対向する光ディスクカートリッジケースの一方の内壁全面を、可撓性を有する光ディスクに対する第１の全面安定化面とし、かつ、上記第２の開口部が形成された側の内壁面を、可撓性を有する光ディスクに対する第２の全面安定化面とすると、光ディスクカートリッジの内壁面に、第１の安定化面と第２の安定化面とが形成されることにより、可撓性を有する光ディスクの回転駆動時の面振れがさらに抑制され、より安定して良好な記録再生を実現することができる。
【００１６】
ここで、上記光ディスクカートリッジにおいて、可撓性を有する光ディスクと第１の全面安定化面との距離を、１０μｍ以上２００μｍ以下とするのが好ましく、また、可撓性を有する光ディスクと第２の全面安定化面との距離を、１０μｍ以上２００μｍ以下とするのが好ましい。この場合、第１の安定化面および第２の安定化面が、可撓性を有する光ディスクの安定化板として好適に働き、可撓性を有する光ディスクの回転駆動時の面振れがさらに抑制され、より安定して良好な記録再生を実現することができる。
【００１７】
【発明の実施の形態】
以下、本発明に係る光ディスク装置の１つの実施の形態を図面を参照しながら詳細に説明する。
【００１８】
図１は、本発明に係る光ディスク装置の１つの実施の形態の断面概略説明図を示している。
図１において、可撓性を有する光ディスク１は、磁性を有するセンターハブ２を有しており、磁気結合によりスピンドル３にチャッキングされる。
そして光ディスク１は、スピンドル３を回転駆動することにより、回転駆動される。表面が平らでなめらかなガラス製の回転安定化板としての透明安定化板５を有する光ピックアップ４はリニアモーター等により、光ディスクの径方向に駆動される。
【００１９】
一方、可撓性を有する光ディスク１は、ポリカーボネート製の光ディスクカートリッジ６に収納されており、透明安定化板５に対向する位置の光ディスクカートリッジ６の内壁面が裏面の平らでなめらかな回転安定化面としての対向安定化面７となる。可撓性を有する光ディスク１は、透明安定化板５と光ディスクカートリッジ６の内壁面の対向安定化面７との間に挟まれて回転することにより、光ディスク１と透明安定化板５との間の空気圧力と、光ディスク１と対向安定化面７との間の空気圧力とが釣り合う状態で回転し（例えば、約３０００r.p.m.）、面振れの少ない安定した回転駆動が実現することになる。すなわち、光ディスク１が可撓性を有することから、光ディスク１が撓んで安定位置で回転することにより、光ディスク１は、透明安定化板５及び対向安定化面７に対して、ほぼ等間隔（例えば、２０μｍ）を維持して回転することになり、従来に比べて光軸方向へのディスク位置の変動が小さくなり、フォーカシングが容易となる。
【００２０】
次に、図２は、図１に示す光ディスクカートリッジ６を、光ピックアップ４側から見た平面図を示している。光ディスクカートリッジ６は、可撓性を有する光ディスク１のセンターハブ２をスピンドル３にチャックするための第１の開口部８と、透明安定化板５を有する光ピックアップ４を光ディスク１に近接配置するための第２の開口部９とを有している。また、光ディスクカートリッジ６には、防塵の目的で、開閉可能なスライドシャッター１０が設けられている。本発明の光ディスクカートリッジは、第２の開口部９に対向する位置の光ディスクカートリッジ内壁面に対向安定化面７が形成されており、光ディスクカートリッジの片方の面に第１の開口部８と第２の開口部９との両方を形成することにより、光ディスクカートリッジ６の片面のみにスライドシャッター１０を形成することで、第１の開口部８と第２の開口部９とを覆うことが可能となり、スライドシャッター１０の簡素化が実現する。
【００２１】
次に、図３は、図１における光ピックアップ４の部分の拡大断面概略図を示している。ここで、光ディスク１は、基板表面に凹部からなるピット列が形成されたＲＯＭディスクであっても良いし、又は、記録媒体として有機色素材料が用いられた追記型の光ディスクであっても良いし、又は、記録媒体として相変化材料が用いられた書き換え可能型光ディスクであっても良い。追記型及び書き換え可能型光ディスクの場合、可撓性を有する光ディスク１は、表面に凹凸の案内溝が形成されたポリエチレンテレフタレート樹脂製ディスク基板１１と、凹凸の案内溝を有する面に形成された記録媒体１２と、記録媒体１２を保護するための保護層１３とで構成されており、後述する対物レンズの支持部材の１つとしての光ピックアップ筐体１４に固定された透明安定化板５と、透明安定化板５に対向する光ディスクカートリッジ６の内壁面で構成される対向安定化面１５とに挟まれた状態で回転駆動されることにより、光ディスク１と透明安定化板５との間の空気圧力と、光ディスク１と対向安定化面１５との間の空気圧力とが釣り合う状態で、可撓性を有する光ディスク１が安定に回転駆動されることになる。この光ディスク１の記録媒体１２に対して、発光検出光学系１６内の発光素子からのレーザ光１７が集光器としての対物レンズ１８により集光照射され、記録媒体１２からの反射光の状態が発光検出光学系１６内の受光素子により検出されることにより、情報の記録再生が行われる。ここで、対物レンズ１８は、その支持部材の１つとしてのレンズホルダー１９に固定されており、レンズホルダー１９が光ピックアップ筐体１４に対して、もう１つの支持部材としての２軸アクチュエーター２０を介して固定されることにより、対物レンズ１８は、光ディスク１の凹凸の案内溝に対して、フォーカシング駆動及びトラッキング駆動される。なお、可撓性を有する光ディスク１は、透明安定化板５と対向安定化面１５との間で、安定して回転駆動され面振れが抑えられているため、既存のサーボ技術を用いた２軸アクチュエーター２０を用いても、フォーカシング及びトラッキングが実現し、十分に情報信号の記録再生が可能となる。
【００２２】
次に、図４は、対物レンズの開口数ＮＡを大きくすることを目的として、特開平１０−３０８０５９号公報において提案されている内容と同様に、２つのレンズ２１，２２を組み合わせた２群レンズを使用した際の光ピックアップ４の部分の拡大断面概略図を示している。
【００２３】
ここで、この２群レンズは、２つのレンズ２１，２２を組み合わせることにより、開口数ＮＡを大きくすることを可能としたレンズである。具体的には、この２群レンズの開口数ＮＡは、０．７以上であることが望ましく、より好ましくは、０．８〜０．９５程度とする。なお、単レンズを用いても開口数を大きくすることは可能であるが、２群レンズとすることにより製造が容易となる。本実施例のように、開口数ＮＡを０．７以上とするような場合には、２群レンズを用いることが好ましい。
【００２４】
特開平１０−３０８０５９号公報に記載の内容によれば、情報の記録再生を行うために、安定化板１０２に対向して配置される集光手段（対物レンズ群）を含む光ピックアップ１０３が、可撓性を有する光ディスク１０１に近接することになる。この場合、光ピックアップ１０３の光ディスク１０１に対向する面がレンズ素子等の集光手段を有する面となり、比較的凹凸の大きな面となるため、光ピックアップ１０３が光ディスク１０１に近接することにより、光ピックアップ１０３と光ディスク１０１との間に圧力変動が発生し、光学ピックアップ１０３周辺において、圧力変動に伴う光ディスク１０１のバタツキが発生し、安定なフォーカシング動作を維持することができず、良好な記録再生を行うことが困難となるが、本実施例によれば、光ディスク１と透明安定化板５との間の空気圧力と、光ディスク１と対向安定化面１５との間の空気圧力とが釣り合う状態で、光ディスク１が安定に回転駆動されることにより、安定なフォーカシング動作を維持することができ、良好な記録再生を行うことが可能となる。
【００２５】
図４における記録媒体１２としては、有機色素材料を用いた追記型の光ディスク、又は、相変化材料を用いた書き換え可能型光ディスクを使用することが可能である。また、基板表面に凹部からなるピット列が形成されたＲＯＭディスクであっても良い。
次に、図５は、図３に示す構成において、透明安定化板５が板バネ２３を介して光ピックアップ筐体１４に固定された際の拡大断面概略図を示している。
【００２６】
図２に示す構成においては、透明安定化板５が光ピックアップ筐体１４に直接固定されているため、外部からの振動により光ディスクカートリッジ６及び光ディスク１が振動した場合、光ディスク１が透明安定化板５に衝突し、光ディスク１の表面に傷等の損傷が発生してしまう。これに対して、図５に示す構成においては、透明安定化板５が板バネ２３を介して光ピックアップ筐体１４に固定されているため、外部からの振動により光ディスクカートリッジ６及び光ディスク１が振動した場合においても、板バネ２３が光ディスク１の振動を吸収すべく働くため、外部振動にともなう光ディスク１と透明安定化板５との衝突による光ディスク１の損傷を抑制することが可能となる。ここでは、図２に示す構成に対して、板バネ２３を用いた場合について示しているが、図３に示すような２群レンズを用いた構成においても、透明安定化板５を板バネ２３を介して光ピックアップ筐体１４に固定することにより、同様な効果を得ることが可能となる。
【００２７】
次に、図６は、図４に示す構成において、安定化板５の光通過部分に光通過孔２４を形成した際の拡大断面概略図を示している。図３及び図４及び図５に示す構成においては、レーザ光１７が透明安定化板５を透過することが必要であり、その材質が光学的に均質であり、かつ、透明な石英やガラスに限定されてしまう。また、透明安定化板の両表面で光の反射が発生し、レーザ光１７の利用効率が低下するという問題が存在する。これに対して、図６のように、安定化板５に光通過孔２４を形成することにより、安定化板５を不透明な材料で形成することが可能となり、材料選択の範囲を広げることが可能となる。たとえば、不透明な強化プラスチック等の安価な材料で安定化板５を形成することが可能である。さらに、安定化板５にレーザ光１７の反射面が存在しないため、レーザ光１７の利用効率改善を実現することができる。
【００２８】
次に、図７は、可撓性を有する光ディスク１の回転駆動をさらに安定化することを目的として、光ディスクカートリッジ６の対向安定化面７が形成されている面、すなわち、図７において開口部が形成されている面と対向する光ディスクカートリッジ６の内壁面全面を第１の全面安定化面２５とした構成である。このように、可撓性を有する光ディスク１と光ディスクカートリッジ６の第１の全面安定化面２５とを近接して配置することにより、光ディスク１の回転駆動をさらに安定化することが可能となる。
【００２９】
図１に示す構成においては、可撓性を有する光ディスク１が、透明安定化板５と光ディスクカートリッジ６の内壁面の対向安定化面７との間に挟まれて回転することにより、光ディスク１と透明安定化板５との間の空気圧力と、光ディスク１と対向安定化面７との間の空気圧力とが釣り合う状態で回転し、面振れの少ない安定した回転駆動が実現するが、透明安定化板５と対向安定化面７との間に挟まれていない部分においては、光ディスク１がカートリッジ内である程度の自由度を持ち回転することになる。従って、外部からの振動等の影響を受けることにより、可撓性を有する光ディスク１が光カートリッジケース６内の空間で若干のバタツキが生じたり、安定した回転駆動が阻害されることも考えられる。
【００３０】
これに対して、図７に示す構成においては、可撓性を有する光ディスク１が、スピンドル３により回転駆動されることにより、可撓性を有する光ディスク１と第１の全面安定化面２５により挟まれる空間が減圧状態となり、光ディスク１が第１の全面安定化面２５に吸い寄せられ、第１の全面安定化面２５と一定の間隔を保ちながら安定して回転することが可能となる。従って、可撓性を有する光ディスク１が透明安定化板５と対向安定化面７との間に挟まれていない部分においても、光ディスク１の回転時の面振れが抑制されることにより、より良好な記録再生が行われる。
【００３１】
ここで、可撓性を有する光ディスク１の厚さは、他の実施の形態についても言えることであるが、３０μｍ以上４００μｍ以下であることが望ましい。光ディスク１の厚さが３０μｍより薄くなると、光ディスク１が回転に耐える強度を維持することが困難となり、光ディスク１の厚さが４００μｍより厚くなると光ディスク１の可撓性が弱くなり、透明安定化板５及び対向安定化面７及び第１の全面安定化面２５による光ディスク１の回転時の面振れ抑制効果が低減してしまう。また、光ディスクカートリッジケース６の内壁を第１の全面安定化面２５として働かせるためには、光ディスク１と第１の全面安定化面２５との間の距離を、1０μｍ以上２００μｍ以下とすることが望ましい。光ディスク１と第１の全面安定化面２５との間の距離が１０μｍより小さくなると、光ディスク１が第１の全面安定化面２５と衝突し、光ディスク１表面に傷が発生する可能性が大きくなる。また、光ディスク１と第１の全面安定化面２５との間の距離が２００μｍより大きくなると、もはや第１の全面安定化面２５が安定化板として働くことができず、振動等により光ディスクカートリッジケース６内での光ディスク１の回転が不安定なものとなる可能性がある。
【００３２】
次に、図８は、さらに、可撓性を有する光ディスク１の回転駆動をさらに安定化することを目的として、光ディスクカートリッジ６の対向安定化面７が形成されている面、すなわち、図８において開口部が形成されている面と対向する光ディスクカートリッジ６の内壁面全面を第１の全面安定化面２５とし、開口部が形成されている側の光ディスクカートリッジ６の内壁面全面を第２の全面安定化面２６とした構成である。このように、可撓性を有する光ディスク１を光ディスクカートリッジ６の第１の全面安定化面２５と第２の全面安定化面２６を近接して配置することにより、光ディスク１の回転駆動をさらに安定化することが可能となる。
【００３３】
図７に示す構成においては、可撓性を有する光ディスク１が、第１の安定化面２５に近接して配置されることにより、光ディスク１の回転駆動が安定化されるが、透明安定化板５と対向安定化面７との間に挟まれていない部分においては、光ディスク１がカートリッジ内で第１の安定化面２５から離れる方向に自由度を持ち回転することになる。従って、外部からの振動等の影響を受けることにより、可撓性を有する光ディスク１が光カートリッジケース６内の空間で面振れが生じ、安定した回転駆動が阻害されることになる。
【００３４】
これに対して、図８に示す構成においては、可撓性を有する光ディスク１が、スピンドル３により回転駆動されることにより、可撓性を有する光ディスク１が、第１の全面安定化面２５と第２の安定化面２６とにより挟まれて回転することにより、光ディスク１と第１の全面安定化面２５との間の空気圧力と、光ディスク１と第２の全面安定化面との間の空気圧力とが釣り合う状態で回転し、面振れの少ない安定した回転駆動が実現する。従って、可撓性を有する光ディスク１が透明安定化板５と対向安定化面７との間に挟まれていない部分においても、光ディスク１の回転時の面振れが抑制されることにより、より良好な記録再生が行われる。
【００３５】
ここで、可撓性を有する光ディスク１の厚さは、３０μｍ以上４００μｍ以下であることが望ましい。光ディスク１の厚さが３０μｍより薄くなると、光ディスク１が回転に耐える強度を維持することが困難となり、光ディスク１の厚さが４００μｍより厚くなると光ディスク１の可撓性が弱くなり、透明安定化板５及び対向安定化面７及び第１の全面安定化面２５及び第２の全面安定化面２６による光ディスク１の回転時の面振れ抑制効果が低減してしまう。また、光ディスクカートリッジケース６の内壁を第１の全面安定化面２５及び第２の安定化面として働かせるためには、光ディスク１と第１の全面安定化面２５との間の距離及び光ディスク１と第２の全面安定化面２６との間の距離を、それぞれ、1０μｍ以上２００μｍ以下とすることが望ましい。光ディスク１と第１の全面安定化面２５との間の距離及び光ディスク１と第２の全面安定化面２６との間の距離が１０μｍより小さくなると、光ディスク１が第１の全面安定化面２５または第２の安定化面２６と衝突し、光ディスク１表面に傷が発生する可能性が大きくなる。また、光ディスク１と第１の全面安定化面２５との間の距離及び光ディスク１と第２の全面安定化面２６との間の距離が２００μｍより大きくなると、第１の全面安定化面２５及び第２の安定化面２６が安定化板として働くことができず、振動等により光ディスクカートリッジケース６内での光ディスク１の回転が不安定なものとなる可能性がある。
【００３６】
【発明の効果】
本発明の光ディスク装置によれば、光ディスクの回転状態を安定化させる回転安定化板を集光器の支持部材に設置することによって、それらの集光器及びその支持部材が光ディスクに近接するときに予想される光ディスクの面振れの発生を防止し、良好な記録再生を可能にする。
本発明は、さらに光ディスクカートリッジの内壁に、光ディスクの回転状態をさらに安定化させる回転安定化面を形成すると、可撓性を有する光ディスクが透明安定化板と光ディスクカートリッジ内壁の対向する回転安定化面との間に挟まれ、光ディスクと回転安定化板との間の空気圧力と、光ディスクと対向安定化面との間の空気圧力とが釣り合う状態で光ディスクが回転することにより、光学ピックアップ周辺において発生する圧力変動を抑制することが可能となり、可撓性を有する光ディスクの回転時の面振れが抑制され、良好な記録再生を実現することができる。
【図面の簡単な説明】
【図１】本発明の光ディスク装置の１つの実施の形態を示す断面概略説明図である。
【図２】図１の光ディスクカートリッジの平面図である。
【図３】図１の光ディスク装置の一部拡大断面図である。
【図４】本発明の光ディスク装置の他の実施の形態を示す一部拡大断面図である。
【図５】本発明の光ディスク装置の更に他の実施の形態を示す一部拡大断面図である。
【図６】本発明の光ディスク装置の更に他の実施の形態を示一部拡大断面図である。
【図７】本発明の光ディスク装置の更に他の実施の形態を示断面図である。
【図８】本発明の光ディスク装置の更に他の実施の形態を示断面図である。
【図９】従来の光ディスク装置の断面図である。
【図１０】従来の光ディスク装置の断面図である。
【符号の説明】
１  可撓性を有する光ディスク
５  透明安定化板
６  光ディスクカートリッジ
７  対向安定化面
８  第１の開口部
９  第２の開口部
１０  スライドシャッター
１１  光ディスク基板
１２  記録媒体
１３  保護膜
１５  対向安定化面
１８  集光レンズ
２１，２２  ２群レンズ
２３  板バネ
２４  光通過孔
２５  第１の全面安定化面
２６  第２の全面安定化面
【図１】
0004495362.tif 000002
【図２】
0004495362.tif 000003
【図３】
0004495362.tif 000004
【図４】
0004495362.tif 000005
【図５】
0004495362.tif 000006
【図６】
0004495362.tif 000007
【図７】
0004495362.tif 000008
【図８】
0004495362.tif 000009
【図９】
0004495362.tif 000010
【図１０】
0004495362.tif 000011